(57)【要約】【課題】強度の高いハウジングを有する携帯電子機器を提供する。【解決手段】携帯電話機１は、ハウジング３と、ハウジング３に収容される電子部品とを有し、ハウジング３は、第１対向部３ａを構成する部分と、当該部分の縁部から第２対向部３ｂ側へ突出し、側壁部３ｃａを構成する第１壁部５ｃとを有するフロントケース５と、第２対向部３ｂを構成する部分と、当該部分の縁部から第１対向部３ａ側へ突出し、第１壁部５ｃの内側に重なる第２壁部７ｃとを有するリアケース７とを有し、第１壁部５ｃには、開口部３ｆを形成する切り欠き部５ｆと、切り欠き部５ｆよりも下端部３ｄ側に溝部３３とが形成され、第２壁部７ｃには、上端部３ｅ側から下端部３ｄ側の方向へ溝部３３に係合するリブ３５が形成されている。【選択図】図５
2009290564.tif 000002
【特許請求の範囲】
【請求項１】
互いに対向する第１及び第２対向部と、前記第１及び第２対向部の周囲を囲む周壁部とを有し、前記周壁部のうち所定方向に延びる側壁部に開口部が形成されたハウジングと、
前記ハウジングに収容される電子部品と、
を有し、
前記ハウジングは、
前記第１対向部を構成する部分と、当該部分の縁部から前記第２対向部側へ突出し、前記側壁部を構成する第１壁部とを有する第１ケースと、
前記第２対向部を構成する部分と、当該部分の縁部から前記第１対向部側へ突出し、前記第１壁部と共に前記側壁部を構成する第２壁部とを有する第２ケースと、
を有し、
前記第１壁部には、前記開口部を形成する切り欠き部と、当該切り欠き部よりも前記所定方向の一端側に第１係合部とが形成され、
前記第２壁部には、前記所定方向の一端側へ前記第１係合部に係合する第２係合部が形成されている
携帯電子機器。
【請求項２】
前記第１及び第２係合部の一方は、溝部であり、
前記第１及び第２係合部の他方は、前記溝部に嵌合するリブである
請求項１に記載の携帯電子機器。
【請求項３】
前記第１ケース及び前記第２ケースは、前記第１及び第２対向部の対向方向を組み込み方向として嵌合されるように構成されており、
前記溝部は、前記第１及び第２対向部の対向方向に延び、前記第１壁部及び前記第２壁部のうち当該溝部が形成される壁部の頂部まで到達しており、
前記リブは、前記第１及び第２対向部の対向方向に延び、前記溝部が形成される壁部の頂部から前記溝部に挿入可能である
請求項２に記載の携帯電子機器。
【請求項４】
前記電子部品は、前記ハウジングに対して固定され、前記第２壁部の内側に当接している
請求項１から３のいずれか１項に記載の携帯電子機器。
【請求項５】
前記電子部品は、アンテナである
請求項４に記載の携帯電子機器。
【請求項６】
前記ハウジングは、前記第１壁部の外側に被せられ、前記第１壁部とともに前記側壁部を構成し、前記切り欠き部とともに前記開口部を構成する窓部が形成された外装部材を有し、
前記第１壁部は、前記外装部材が取り付けられる凹部が形成されている
請求項１から５のいずれか１項に記載の携帯電子機器。
【請求項７】
前記電子部品と電気的に接続され、前記開口部から露出する端子を有する
請求項１から６のいずれか１項に記載の携帯電子機器。
【請求項８】
前記端子は充電端子である
請求項７に記載の携帯電子機器。
【発明の詳細な説明】
【技術分野】
【０００１】
本発明は、携帯電話機、デジタルカメラ、ＰＤＡ（Ｐｅｒｓｏｎａｌ  Ｄｉｇｉｔａｌ  Ａｓｓｉｓｔａｎｔ）、ゲーム機等の携帯電子機器に関する。
【背景技術】
【０００２】
ハウジングの端部に開口部が形成された電子機器が知られている。例えば、特許文献１では、充電端子を露出させるための開口部がハウジングの端部に形成された携帯電話機が開示されている。
【特許文献１】特開平０７−２７３８４９号公報
【発明の開示】
【発明が解決しようとする課題】
【０００３】
ハウジングの端部は衝撃を受けやすい。例えば、携帯電子機器が落下したときには、ハウジングは、端部から地面等に衝突し、衝撃を受ける。また、ハウジングに開口部が形成されると、ハウジングの強度が低下する。従って、ハウジングは、端部の開口部周辺において変形が生じ易い。
【０００４】
図９は、ハウジングの端部が衝撃によって変形する様子を説明する図である。図９（ａ）に示すように、ハウジング２０３は、不図示の電子部品を挟んで対向するフロントケース２０５及びリアケース２０７を有している。フロントケース２０５の壁部には、端子を露出させるための開口部を形成する切り欠き部２０５ａが形成されている。
【０００５】
図９（ｂ）に示すように、切り欠き部２０５ａの配置部分２０５ｃにおいては、切り欠き部２０５ａが形成されることにより、矢印ｙ１方向への曲げに対する剛性が低下している。従って、ハウジング２０３の端部に力Ｆが加えられると、ハウジング２０３は、切り欠き部２０５ａよりも端部側の壁部２０５ｂが矢印ｙ１方向へ移動するように変形するおそれがある。
【０００６】
本発明の目的は、強度の高いハウジングを有する携帯電子機器を提供することにある。
【課題を解決するための手段】
【０００７】
本発明の電子機器は、互いに対向する第１及び第２対向部と、前記第１及び第２対向部の周囲を囲む周壁部とを有し、前記周壁部のうち所定方向に延びる側壁部に開口部が形成されたハウジングと、前記ハウジングに収容される電子部品と、を有し、前記ハウジングは、前記第１対向部を構成する部分と、当該部分の縁部から前記第２対向部側へ突出し、前記側壁部を構成する第１壁部とを有する第１ケースと、前記第２対向部を構成する部分と、当該部分の縁部から前記第１対向部側へ突出し、前記第１壁部と共に前記側壁部を構成する第２壁部と有する第２ケースと、を有し、前記第１壁部には、前記開口部を形成する切り欠き部と、当該切り欠き部よりも前記所定方向の一端側に第１係合部とが形成され、前記第２壁部には、前記所定方向の一端側へ前記第１係合部に係合する第２係合部が形成されている。
【０００８】
好適には、前記第１及び第２係合部の一方は、溝部であり、前記第１及び第２係合部の他方は、前記溝部に嵌合するリブである。
【０００９】
好適には、前記第１ケース及び前記第２ケースは、前記第１及び第２対向部の対向方向を組み込み方向として嵌合されるように構成されており、前記溝部は、前記第１及び第２対向部の対向方向に延び、前記第１壁部及び前記第２壁部のうち当該溝部が形成される壁部の頂部まで到達しており、前記リブは、前記第１及び第２対向部の対向方向に延び、前記溝部が形成される壁部の頂部から前記溝部に挿入可能である。
【００１０】
好適には、前記電子部品は、前記ハウジングに対して固定され、前記第２壁部の内側に当接している。
【００１１】
好適には、前記電子部品は、アンテナである。
【００１２】
好適には、前記ハウジングは、前記第１壁部の外側に被せられ、前記第１壁部とともに前記側壁部を構成し、前記切り欠き部とともに前記開口部を構成する窓部が形成された外装部材を有し、前記第１壁部は、前記外装部材が取り付けられる凹部が形成されている。
【００１３】
好適には、前記電子部品と電気的に接続され、前記開口部から露出する端子を有する。
【００１４】
好適には、前記端子は充電端子である。
【発明の効果】
【００１５】
本発明によれば、強度の高いハウジングを有する携帯電子機器を提供できる。
【発明を実施するための最良の形態】
【００１６】
図１は、本発明の実施形態に係る携帯電話機１の外観斜視図である。なお、図１では、携帯電話機１を充電するための充電台１０１も模式的に示されている。
【００１７】
携帯電話機１は、いわゆるストレートタイプの携帯電話機により構成されており、一のハウジング３を有している。ハウジング３は、例えば、薄型直方体状に形成されており、互いに対向する第１対向部３ａ及び第２対向部３ｂと、第１対向部３ａ及び第２対向部３ｂの周囲を囲む周壁部３ｃとを有している。なお、以下では、図１の紙面の上方側（第１対向部３ａ側）、下方側（第２対向部３ｂ側）、並びに、左下側及び右上側を、それぞれ、正面側、背面側、側方ということがある。
【００１８】
ハウジング３には、種々の電子部品等が設けられている。例えば、ハウジング３には、第１対向部３ａの上端部３ｅ側において開口する第１放音孔３ｇから音響を出力する通話用の第１スピーカ８３（図８参照）、第１対向部３ａの下端部３ｄ側において開口する収音孔３ｈから音響が入力される通話用のマイクロフォン８７（図８参照）、第１対向部３ａ側からユーザの操作を受け付ける操作部１１，第１対向部３ａ側に画像を表示する表示部１３、携帯電話機１のバッテリ２３（図２参照）を充電するための充電端子１５が設けられている。
【００１９】
充電端子１５は、例えば、第１対向部３ａ及び第２対向部３ｂに沿う所定方向（本実施形態ではハウジング３の長手方向）の一端（下端部３ｄ）側において、周壁部３ｃのうち前記所定方向に延びる側壁部３ｃａに開口する開口部３ｆから露出している。充電端子１５及び開口部３ｆは、２つの側壁部３ｃａに対応して２つ設けられている（紙面奥手側の側壁部３ｃａ、開口部３ｆ及び充電端子１５はハウジング３に隠れて不図示。）。
【００２０】
開口部３ｆの形状は、適宜に設定されてよいが、例えば、ハウジング３の長手方向に長い矩形である。また、開口部３ｆの大きさも適宜に設定されてよいが、例えば、開口部３ｆは、ハウジング３の長手方向の中央から下端部３ｄまでの間に収まる大きさである。
【００２１】
充電台１０１は、充電ハウジング１０３と、充電ハウジング１０３から突出する給電端子１０５とを有している。充電ハウジング１０３は、載置面１０３ａを下方にして且つ概ね水平にして机上等に載置される。携帯電話機１を保持する保持部１０３ｂは、載置面１０３ａ（水平面）に対して傾斜する傾斜面１０３ｃと、傾斜面１０３ｃの少なくとも下方側（図１の紙面右側）において傾斜面１０３ｃを囲んで立設された壁部１０３ｄとを有している。
【００２２】
給電端子１０５は、壁部１０３ｄの内側面から不図示のバネ若しくは給電端子１０５のハウジング内部側部分の弾性力によって突出している。給電端子１０５は、充電台１０１の左右側方に１つずつ合計２つ設けられている（紙面手前側の給電端子１０５は壁部１０３ｄに隠れて不図示。）。
【００２３】
携帯電話機１は、充電ハウジング１０３の保持部１０３ｂに第２対向部３ｂを傾斜面１０３ｃに向けて載置される。この際、携帯電話機１の下端部３ｄ側部分は、壁部１０３ｄによって形成された凹部に嵌合される。携帯電話機１の側壁部３ｃａは、壁部１０３ｄの内側面に対向し、給電端子１０５は、弾性力によって充電端子１５に当接する。
【００２４】
図２は、携帯電話機１の分解斜視図である。
【００２５】
携帯電話機１は、正面側（図２の紙面上方側）から順に、ハウジング３の第１対向部３ａ側部分を構成するフロントケース５、ハウジング３の周壁部３ｃ側部分を構成する第１〜第４サイドパーツ６Ａ〜６Ｄ（以下、単に「サイドパーツ６」といい、これらを区別しないことがある。）、操作部１１を構成する操作部材１７、種々の電子部品が互いに固定されてモジュール化されたシールドモジュール１９、アンテナ２１，ハウジング３の第２対向部３ｂ側部分を構成するリアケース７、バッテリ２３、及び、リアケース７と共にハウジング３の第２対向部３ｂ側部分を構成するリッド９とを有している。
【００２６】
フロントケース５、サイドパーツ６、リアケース７及びリッド９は、例えば、それぞれ樹脂（例えばガラス入り樹脂）により構成されている。フロントケース５及びリアケース７は、例えば、不図示のネジにより互いに固定される。これにより、フロントケース５及びリアケース７との間には、操作部材１７、シールドモジュール１９及びアンテナ２１が扶持される。サイドパーツ６は、例えば、接着剤や両面テープ等の接着部材によりフロントケース５に固定されている。なお、サイドパーツ６は、リアケース７にも固定されていてよい。リッド９は、バッテリ２３をハウジング３内に挿脱するためのものである。リッド９は、例えば、複数の係合部９ａによりリアケース７に固定される。これにより、リアケース７の背面側に形成された凹部に装着されたバッテリ２３の脱落が防止される。
【００２７】
フロントケース５は、第１対向部３ａと、第１対向部３ａの縁部から第２対向部３ｂ側へ突出し、側壁部３ｃａを構成する第１壁部５ｃとを有している。サイドパーツ６は、第１壁部５ｃの外側に配置され、第１壁部５ｃとともに側壁部３ｃａを構成する。リアケース７は、第２対向部３ｂの一部を構成する部分と、当該部分の縁部から第１対向部３ａ側に突出し、側壁部３ｃａを構成する第２壁部７ｃ（図７も参照）とを有している。上述の開口部３ｆは、第１壁部５ｃに形成された切り欠き部５ｆと、第１サイドパーツ６Ａに形成された窓部６ｆにより構成されている。
【００２８】
切り欠き部５ｆの形状は、適宜に設定されてよいが、例えば、ハウジング３の長手方向に長い矩形である。また、切り欠き部５ｆの大きさも適宜に設定されてよいが、例えば、切り欠き部５ｆは、ハウジング３の長手方向の中央から下端部３ｄまでの間に収まる大きさである。窓部６ｆは、ハウジング３の外側から見た開口部３ｆの形状を規定している。
【００２９】
シールドモジュール１９は、例えば、シールドケース２７、シールドケース２７の背面側に配置される不図示の回路基板、表示部１３を構成する表示装置２９、シールドケース２７に巻き回されて固定されたＦＰＣ３１を有している。充電端子１５は、ＦＰＣ３１の、シールドケース２７の側面に配置された部分に実装されている。
【００３０】
図３は、第１サイドパーツ６Ａ及び第２サイドパーツ６Ｂを取り外した状態の携帯電話機１を示す斜視図である。図４は、図１のＩＶ−ＩＶ線における断面図である。
【００３１】
フロントケース５及びリアケース７の、側壁部５ｃａを構成する部分には、サイドパーツ６が嵌合する凹部４が形成されている。フロントケース５の第１壁部５ｃは、凹部４を形成するように、第２対向部３ｂ側部分の厚さｔ２が第１対向部３ａ側部分の厚さｔ１よりも薄く形成されている。リアケース７の第２壁部７ｃも同様に、凹部４を形成するように、第１対向部３ａ側部分が第２対向部３ｂ側部分よりも薄く形成されている。なお、第１壁部５ｃの厚さは、リアケース７の他の壁部（周壁部３ｃのうち、側壁部３ｃａに直交する部分）よりも薄くなっている。
【００３２】
図５は、図３の切り欠き部５ｆ付近の拡大図である。図６は、フロントケース５の切り欠き部５ｆ付近の拡大図である。図７は、リアケース７の、フロントケース５の切り欠き部５ｆに対応する部分付近の拡大図である。なお、図７では、アンテナ２１も図示されている。
【００３３】
フロントケース５の第１壁部５ｃと、リアケース７の第２壁部７ｃの一部とは、第１対向部３ａ及び第２対向部３ｂの対向方向において突き当てられている（図４も参照）。第１壁部５ｃ及び第２壁部７ｃの突き当て面は、図５に示すように、段差ｄを有しており、フロントケース５及びリアケース７の長手方向の相対移動は規制されている。図５〜図７の紙面奥手側の第１壁部５ｃ及び第２壁部７ｃにおいても同様である。
【００３４】
第２壁部７ｃは、第１壁部５ｃの、切り欠き部５ｆよりも下端部３ｄ側の第１壁部構成部５ｃｂの内側に当接する第２壁部構成部７ｃｂを有している。図５〜図７の紙面奥手側の第１壁部５ｃ及び第２壁部７ｃにおいても同様である。従って、２つの第２壁部構成部７ｃｂは、２つの第１壁部構成部５ｃｂ間へ嵌合され、フロントケース５及びリアケース７の短手方向の相対移動は規制される。また、フロントケース５は、係合孔５ｈを有し、リアケース７は、係合孔５ｈに挿入される係合爪７ｈを有する。係合孔５ｈ及び係合爪７ｈの係合により、フロントケース５及びリアケース７の対向方向及び長手方向の相対移動は規制される。
【００３５】
フロントケース５及びリアケース７は、段差ｄにおける嵌合、係合孔５ｈ及び係合爪７ｈの係合、及び、第２壁部構成部７ｃｂ及び第１壁部構成部５ｃｂの嵌合がなされるように、第１対向部３ａ及び第２対向部３ｂの対向方向において互いに近接させて組み立てられる。すなわち、第１対向部３ａ及び第２対向部３ｂの対向方向は、フロントケース５及びリアケース７の組み込み方向である。
【００３６】
なお、フロントケース５及びリアケース７は、上記の嵌合以外にも、適宜な部分において、組み込み方向に嵌合がなされるように構成されていてよい。例えば、第１壁部５ｃ及び第２壁部７ｃにおいて、第２壁部構成部７ｃｂ及び第１壁部構成部５ｃｂと同様の部分が、上端部３ｅ側に設けられてもよい。また、周壁部３ｃのうち側壁部３ｃａに直交する壁部に、第２壁部構成部７ｃｂ及び第１壁部構成部５ｃｂと同様の部分が設けられ、フロントケース５及びリアケース７の長手方向の移動が規制されてもよい。
【００３７】
第１壁部構成部５ｃｂには、フロントケース５及びリアケース７の組み込み方向に延び、第１壁部構成部５ｃｂの頂部に到達する溝部３３が形成されている。一方、第２壁部構成部７ｃｂには、ハウジング３の外部側に突出し、フロントケース５及びリアケース７の組み込み方向に延びるリブ３５が形成されている。フロントケース５及びリアケース７の組み込みにおいては、リブ３５が、溝部３３に、第１壁部構成部５ｃｂの頂部から組み込み方向に挿入される。そして、リブ３５は、第１壁部構成部５ｃｂ（溝部３３）に対して、上端部３ｅから下端部３ｄへの方向、及び、その反対方向へ係合する。
【００３８】
溝部３３の長さとリブ３５の長さとは、例えば、同等である。リブ３５の第２壁部構成部７ｃｂからの突出量は、例えば、第１壁部構成部５ｃｂの厚さと同等である。従って、リブ３５が溝部３３に嵌合されると、第１壁部構成部５ｃｂ及びリブ３５は、隙間及び凹凸のない、第１サイドパーツ６Ａが配置される壁部を構成する。
【００３９】
アンテナ２１は、例えば、樹脂により構成されたアンテナモールド３７と、アンテナモールド３７の表面に張り巡らされた所定パターンの導電層（不図示）とを有している。アンテナモールド３７は、例えば、リアケース７に形成された凹部３９に嵌合されて、第２対向部３ｂに沿う全ての方向の移動が規制されるとともに、リアケース７及びフロントケース５により挟持されることにより、ハウジング３に固定される。第２壁部７ｃの、第２壁部構成部７ｃｂの内側の面を含む部分は、凹部３９を構成している。従って、アンテナモールド３７の、図７においてハッチングして示す面は、第２壁部構成部７ｃｂの内側面に当接している。図７の紙面奥手側においても同様である。
【００４０】
図８は、携帯電話機１の信号処理系の構成を示すブロック図である。
【００４１】
携帯電話機１は、ＣＰＵ７１、メモリ７３、通信処理部７５、音響処理部７７及び画像処理部７９を有している。これら各部は、例えば、ハウジング３内に設けられた不図示の回路基板に設けられた不図示のＩＣにより構成されている。
【００４２】
ＣＰＵ７１及びメモリ７３は、操作部１１等の各種手段からの信号に基づいて所定の演算を行い、画像処理部７９等の各種手段の制御を実行する制御部として機能する。
【００４３】
通信処理部７５は、高周波回路を含んで構成されている。通信処理部７５は、電波を利用した無線通信により、通信システム（電話網やインターネット）を介した他の携帯端末装置やサーバとの通信を行うために、ＣＰＵ７１で処理された音響データ、画像データ等の各種データを変調して、アンテナ２１を介して送信する。また、通信処理部７５は、アンテナ２１を介して受信した信号を復調してＣＰＵ７１に出力する。
【００４４】
音響処理部７７は、ＣＰＵ７１からの音響データを電気信号に変換して、通話用の第１スピーカ８３、又は、報知音等を出力する第２スピーカ８５に出力する。第１スピーカ８３及び第２スピーカ８５は、音響処理部７７からの電気信号を音響に変換して出力する。一方、マイクロフォン８７は、入力された音響を電気信号に変換して音響処理部７７に出力する。音響処理部７７は、マイクロフォン８７からの電気信号を音響データに変換してＣＰＵ７１に出力する。
【００４５】
画像処理部７９は、ＣＰＵ７１からの画像データを画像信号に変換して表示部１３等の表示部へ出力する。また、撮像部８９から出力される撮像信号（画像データ）を所定のフォーマットの画像データに変換してＣＰＵ７１へ出力する。
【００４６】
上記の各部は、バッテリ２３から電力が供給されることによって動作する。バッテリ２３は、充電台１０１の給電回路１０７から、給電端子１０５、充電端子１５、及び、充電回路９１を介して電力が供給され、その供給された電力を蓄える。給電回路１０７は、例えば、商用電源からの交流電力を適宜な電圧の直流電圧に変換して給電端子１０５に出力する。充電回路９１は、例えば、給電回路１０７から給電端子１０５及び充電端子１５を介して供給された電力を、そのまま、又は、適宜な電圧の直流電力に変換してバッテリ２３に供給する。なお、給電回路１０７及び充電回路９１の役割分担は、適宜に設定されてよい。充電回路９１は、例えば、ＦＰＣ３１に設けられている。
【００４７】
以上の実施形態によれば、携帯電話機１は、ハウジング３と、ハウジング３に収容されるアンテナ２１やＦＰＣ３１等の電子部品を有する。ハウジング３は、互いに対向する第１対向部３ａ及び第２対向部３ｂと、第１対向部３ａ及び第２対向部３ｂの周囲を囲む周壁部３ｃとを有し、第１対向部３ａ及び第２対向部３ｂに沿う所定方向（本実施形態では携帯電話機１の長手方向）の一端（下端部３ｄ）側において、周壁部３ｃのうち長手方向に延びる側壁部３ｃａに開口部３ｆが形成されている。また、ハウジング３は、第１対向部３ａを構成する部分と、当該部分の縁部から第２対向部３ｂ側へ突出し、側壁部３ｃａを構成する第１壁部５ｃとを有するフロントケース５と、第２対向部３ｂを構成する部分と、当該部分の縁部から第１対向部３ａ側へ突出し、第１壁部５ｃの内側に重なる第２壁部７ｃ（第２壁部構成部７ｃｂ）とを有するリアケース７と、を有する。第１壁部５ｃには、開口部３ｆを形成する切り欠き部５ｆが形成されるとともに、切り欠き部５ｆよりも下端部３ｄ側（第１壁部構成部５ｃｂ）に溝部３３が形成されている。第２壁部７ｃには、上端部３ｅ側から下端部３ｄ側の方向へ溝部３３に係合するリブ３５が形成されている。従って、フロントケース５の第１壁部構成部５ｃｂの上端部３ｅ側（切り欠き部５ｆ側）への移動が、リアケース７の第２壁部７ｃによって規制される。換言すれば、フロントケース５に加えられた衝撃は、リアケース７にも分散される。その結果、図９（ｂ）を参照して説明した変形の発生が抑制される。しかも、リアケース７への衝撃の分散により、実質的な強度を向上させていることから、フロントケース５の厚み増加や補強部材の追加を避けることができる。
【００４８】
上述のような、第１壁部５ｃ及び第２壁部７ｃにおける係合を行う係合部は、溝部３３及びリブ３５であることから、第１壁部５ｃ及び第２壁部７ｃそれぞれの形状は設計変更が必要であるが、第１壁部５ｃ及び第２壁部７ｃ全体の形状は、設計変更が不要であり、若しくは、設計変更が抑制される。すなわち、本実施形態の強度向上のための構造は、ハウジング３の設計変更に及ぼす影響が少ない。
【００４９】
フロントケース５及びリアケース７は、第１対向部３ａ及び第２対向部３ｂの対向方向を組み込み方向として嵌合されるように構成されており、溝部３３は、第１対向部３ａ及び第２対向部３ｂの対向方向に延び、第１壁部５ｃの頂部まで到達しており、リブ３５は、第１対向部３ａ及び第２対向部３ｂの対向方向に延び、第１壁部５ｃの頂部から溝部３３に挿入可能であることから、フロントケース５及びリアケース７の組み込みに伴って溝部３３及びリブ３５を容易に係合させることが可能であるとともに、溝部３３及びリブ３５の、係合方向（図９（ｂ）の矢印ｙ１で示す方向）における接触長さが大きく確保され、係合が堅固になされる。
【００５０】
ハウジング３に収容される電子部品（アンテナ２１）は、ハウジング３に対して固定され、第２壁部７ｃの内側に当接していることから、第２壁部７ｃの、ハウジング３内部側へ倒れこむような変形が抑制される。換言すれば、第１壁部５ｃから第２壁部７ｃへ逃がすことができる衝撃を大きくすることができ、図９（ｂ）を参照して説明した変形が一層効果的に抑制される。
【００５１】
第２壁部７ｃの内側に当接する電子部品は、アンテナ２１であることから、アンテナ特性を向上させるためにハウジング３の端部に配置されることが好ましいアンテナ２１によって、上述のような第２壁部７ｃの強度補強がなされることになる。その結果、ハウジング３内部のスペースの有効活用が可能となり、携帯電話機１の小型化が図られる。
【００５２】
ハウジング３は、第１壁部５ｃの外側に被せられ、第１壁部５ｃとともに側壁部３ｃａを構成し、切り欠き部５ｆとともに開口部３ｆを構成する窓部６ｆが形成されたサイドパーツ６を有し、第１壁部５ｃは、サイドパーツ６が嵌合する凹部４が形成されるように、第１対向部３ａ側よりも第２対向部３ｂ側が薄く形成されていることから、サイドパーツ６によりデザインの多様化を図ることができ、且つ、そのために第１壁部５ｃが薄くなっても、上述の溝部３３及びリブ３５による強度向上により、ハウジング３の破損は抑制される。
【００５３】
携帯電話機１は、電子部品としてのＦＰＣ３１やアンテナ２１等と電気的に接続され、開口部３ｆから露出する端子（充電端子１５）を有する。一方、上述のように、ハウジング３は、端部の強度が向上され、開口部３ｆを、より端部側に配置することができる。従って、携帯電話機１は、端子を、より端部側に配置することができる。その結果、例えば、端子に接続される電子部品を端部側に配置して、ハウジング３内のスペースを有効利用することができる。
【００５４】
このように端部側に配置可能な端子は、充電端子１５であることから、充電端子１５に接続される給電端子１０５も、充電台１０１の端部側に配置することが可能となる。その結果、例えば、充電台１０１の設計の自由度の向上、壁部１０３ｄの傾斜面１０３ｃに沿う方向の長さの短縮化を図ることができる。
【００５５】
なお、以上の実施形態において、携帯電話機１は本発明の電子機器の一例であり、アンテナ２１、ＦＰＣ３１、バッテリ２３、表示装置２９等の電子部品はそれぞれ本発明の電子部品の一例であり、携帯電話機１の長手方向は本発明の第１及び第２対向部に沿う所定方向の一例であり、側壁部３ｃａは本発明の所定方向に延びる壁部の一例であり、フロントケース５は本発明の第１ケースの一例であり、リアケース７、又は、リアケース７及びリッド９の組み合わせは本発明の第２ケースの一例であり、下端部３ｄは本発明のハウジングの所定方向の一端の一例であり、上端部３ｅは本発明の他端の一例であり、溝部３３は本発明の第１係合部の一例であり、リブ３５は本発明の第２係合部の一例であり、サイドパーツ６は本発明の外装部材の一例である。
【００５６】
本発明は、以上の実施形態に限定されず、種々の態様で実施されてよい。
【００５７】
携帯電子機器は、携帯電話機に限定されない。例えば、携帯電子機器は、デジタルカメラ、ＰＤＡ、ゲーム機であってもよい。ハウジングは、ストレートタイプのものに限定されない。例えば、折り畳み式、水平ターン式、スライド式等の、２以上のハウジングが相対移動可能に連結される形式のハウジングであってもよい。
【００５８】
開口部は、端子を露出させることを目的としたものに限定されない。例えば、開口部は、操作部材を配置するためのものであってもよいし、記憶媒体を挿脱するためのものであってもよいし、音響を入力及び／又は出力するための音口であってもよい。
【００５９】
開口部が端子を露出させるためのものである場合、端子は、充電端子に限定されない。例えば、端子は、本発明の携帯電子機器と他の電子機器（例えば、携帯電話機、充電台、マイクロフォン、スピーカ、ディスプレイ、外部記憶装置）との間で、種々の情報（例えば、音響の情報、画像の情報）を有する電気信号を入力及び／又は出力するためのものであってもよい。
【００６０】
開口部（及び／又は切り欠き部）の形状は矩形に限定されない。例えば、開口部の形状は、円形であってもよい。開口部の大きさは、開口部が、側壁部の長手方向の中央から一端に収まる大きさに限定されない。例えば、開口部は、側壁部の長さの半分以上の長さを有していてもよい。開口部は、第１及び第２の対向部に沿う所定方向の一端において設けられるものに限定されない。例えば、開口部は、所定方向の一端側に配置されてよい。すなわち、開口部は、他端よりも一端に近い位置に配置されてよい。また、開口部は、所定方向の中央に配置されてもよい。第１及び第２係合部は、ハウジングの所定方向の端部のうち、開口部から遠い端部側（実施形態では上端部３ｅ側）に設けられていてもよい。
【００６１】
第１及び第２係合部は、互いに嵌合する溝部及びリブに限定されない。例えば、第１及び第２係合部は、双方がリブであってもよい。また、第１及び第２係合部は、第１及び第２対向部に沿う所定方向（実施形態では携帯電話機１の長手方向）における、双方向において係合していなくてもよい。図９（ｂ）から理解されるように、第１壁部（５ｃ）の端部側部分（第１壁部構成部５ｃｂ）の、一端（下端部３ｄ）側から他端（上端部３ｅ）側への移動（矢印ｙ１で示す方向への移動）が規制されるように、第２係合部が第１係合部に対して他端側から一端側への方向へ係合すればよい。
【００６２】
第１及び第２係合部が溝部及びリブである場合、溝部及びリブは、リブが溝部に組み込み方向に挿入されるように構成されていなくてもよい。例えば、溝部及びリブは、組み込み方向へ直交する方向に延びていてもよい。また、例えば、溝部は、組み込み方向に延び、第１壁部の頂部に到達していないものであってもよい。このような場合であっても、例えば、樹脂等のある程度の弾性を有する材料により第１ケース及び第２ケースが構成されているときは、第１ケース及び第２ケースを弾性変形させてリブを溝部に係合させることが可能である。また、実施形態とは逆に、第１係合部がリブにより構成され、第２係合部が溝部により構成されてもよい。
【００６３】
第１及び第２係合部は、複数設けられてもよい。例えば、実施形態において、溝部３３及びリブ３５の組み合わせは、第１壁部構成部５ｃｂにおいて、ハウジング３の長手方向に複数配列されてよい。
【００６４】
第２壁部の内側に当接する電子部品は設けられなくてもよい。第２壁部の内側に当接する電子部品が設けられる場合、当該電子部品はアンテナに限定されない。例えば、回路基板であってもよい。また、当該電子部品は、嵌合及び扶持によってハウジングに固定されるものに限定されない。ハウジングの、第２壁部以外の部分により、第２壁部の内側面が向く方向への移動が規制されていればよい。例えば、電子部品は、第１又は第２対向部にネジにより固定されていてもよい。
【００６５】
外装部材は、設けられなくてもよい。例えば、第１ケースの第１壁部によりハウジングの外側面が構成され、第１ケースの切り欠き部のみにより開口部が構成されてもよい。
【図面の簡単な説明】
【００６６】
【図１】本発明の実施形態に係る携帯電話機の外観斜視図。
【図２】図１の携帯電話機の分解斜視図。
【図３】図１の携帯電話機をサイドパーツを取り外した状態で示す斜視図。
【図４】図１のＩＶ−ＩＶ線の断面図。
【図５】図３の充電端子付近の拡大図。
【図６】図１の携帯電話機のフロントケースを拡大して示す斜視図。
【図７】図１の携帯電話機のリアケースを拡大して示す斜視図。
【図８】図１の携帯電話機の信号処理系の構成を示すブロック図。
【図９】従来のハウジングの変形を説明する図。
【符号の説明】
【００６７】
１…携帯電話機（携帯電子機器）、３…ハウジング、３ａ…第１対向部、３ｂ…第２対向部、３ｃ…周壁部、３ｄ…下端部（一端）、３ｅ…上端部（他端）、３ｆ…開口部、５…フロントケース（第１ケース）、５ｃ…第１壁部、７…リアケース（第２ケース）、７ｃ…第２壁部、５ｆ…切り欠き部、２１…アンテナ（電子部品）、３１…ＦＰＣ（電子部品）、３３…溝部（第１係合部）、３５…リブ（第２係合部）。
【図１】
2009290564.tif 000003
【図２】
2009290564.tif 000004
【図３】
2009290564.tif 000005
【図４】
2009290564.tif 000006
【図５】
2009290564.tif 000007
【図６】
2009290564.tif 000008
【図７】
2009290564.tif 000009
【図８】
2009290564.tif 000010
【図９】
2009290564.tif 000011